(57)【要約】【課題】ファイナルドリブンギヤが掻き上げる潤滑油の量に関わらず、ファイナルドリブンギヤを軸支する軸受を安定して潤滑することができる動力伝達装置の潤滑構造を提供する。【解決手段】トランスミッションケース３１の第１軸受ＢＲＧ１よりも上方には、バッフルプレート６７が配置されている。バッフルプレート６７は、潤滑油を上方から第１軸受ＢＲＧに導く筒状の供給油路６７ａと、供給油路６７ａの上方に配置され、ファイナルドリブンギヤ４２が掻き上げた潤滑油を受け止めて供給油路６７ａに導く潤滑油受面６７ｂとを有する。トランスミッションケース３１の内部に配置されている内蔵部品に潤滑油を供給する排出機構６４は、供給油路６７ａに前記潤滑油を供給する。【選択図】図７
2018155350.tif 000002
【特許請求の範囲】
【請求項１】
動力伝達装置の筐体の内部に配置されたファイナルドリブンギヤを前記筐体に対して回転自在に軸支する軸受を潤滑する動力伝達装置の潤滑構造であって、
前記筐体の内部に配置されている内蔵部品に潤滑油を供給する潤滑油供給機構と、前記筐体内であって前記軸受よりも上方に位置するバッフルとを備え、
前記バッフルは、前記潤滑油を上方から前記軸受に導く筒状の供給油路と、前記供給油路の上方に配置され、前記ファイナルドリブンギヤが掻き上げた前記潤滑油を受け止めて、前記供給油路に導く潤滑油受面とを有し、
前記潤滑油供給機構は、前記供給油路に前記潤滑油を供給することを特徴とする動力伝達装置の潤滑構造。
【請求項２】
請求項１に記載の動力伝達装置の潤滑構造において、
前記筐体の内部には、前記ファイナルドリブンギヤの上方で、前記バッフルに隣接するように、ギヤが配置され、
前記潤滑油受面は、前記ギヤの歯部に隣接させて配置されていることを特徴とする動力伝達装置の潤滑構造。
【請求項３】
請求項１又は請求項２に記載の動力伝達装置の潤滑構造において、
前記筐体は、少なくともトランスミッション側ケース部材と、トルクコンバータ側ケース部材とを備え、
前記軸受は、前記トルクコンバータ側ケース部材に設けられ、
前記潤滑油供給機構は、前記トランスミッション側ケース部材に設けられていることを特徴とする動力伝達装置の潤滑構造。
【請求項４】
請求項１〜請求項３のいずれか１項に記載の動力伝達装置の潤滑構造において、
前記バッフルは、前記供給油路の側面に開口部を有し、
前記潤滑油供給機構は、前記潤滑油を吐出する吐出口を有し、
前記吐出口の先端部は、前記開口部を介して前記供給油路に挿入されていることを特徴とする動力伝達装置の潤滑構造。
【発明の詳細な説明】
【技術分野】
【０００１】
本発明は、動力伝達装置の筐体の内部に配置されたファイナルドリブンギヤを筐体に対して回転自在に軸支する軸受を潤滑する動力伝達装置の潤滑構造に関する。
【背景技術】
【０００２】
従来、車両等に搭載される動力伝達装置としては、内燃機関の駆動力を変速して出力するトランスミッションと、トランスミッションから出力される駆動力を左右の駆動輪に分配するデファレンシャル装置と、デファレンシャル装置に伝達された駆動力を前後方向に位置する他の駆動輪に分配するトランスファー装置とを備えているものがある。
【０００３】
この種の動力伝達装置の潤滑構造としては、ファイナルドリブンギヤで筐体の内部の油溜から潤滑油を掻き上げた際に、掻き上げられた潤滑油の一部を、ファイナルドリブンギヤのバッフルプレートで受け止めた後、そのバッフルプレートの表面を伝わらせて、ファイナルドリブンギヤを筐体に対して回転自在に軸支する軸受に導き、その軸受を潤滑するものが知られている（例えば、特許文献１参照。）。
【先行技術文献】
【特許文献】
【０００４】
【特許文献１】特開２０１６−０６１３３３号公報
【発明の概要】
【発明が解決しようとする課題】
【０００５】
特許文献１に記載のような従来の動力伝達装置の潤滑構造では、ファイナルドリブンギヤの回転数が大きいときには、ファイナルドリブンギヤが掻き上げる潤滑油の量が多いので、軸受に対して十分な潤滑油を供給することができるが、回転数が小さいときには、掻き上げる潤滑油の量が少なく、十分な潤滑油を供給することができないおそれがあった。
【０００６】
本発明は以上の点に鑑みてなされたものであり、ファイナルドリブンギヤが掻き上げる潤滑油の量に関わらず、ファイナルドリブンギヤを軸支する軸受を安定して潤滑することができる動力伝達装置の潤滑構造を提供することを目的とする。
【課題を解決するための手段】
【０００７】
上記目的を達成するために、本発明は、
動力伝達装置（例えば、実施形態における動力伝達装置ＰＴ。以下、同じ。）の筐体（例えば、実施形態におけるトランスミッションケース３１。以下、同じ。）の内部に配置されたファイナルドリブンギヤ（例えば、実施形態におけるファイナルドリブンギヤ４２。以下、同じ。）を前記筐体に対して回転自在に軸支する軸受（例えば、実施形態における第１軸受ＢＲＧ１。以下、同じ。）を潤滑する動力伝達装置の潤滑構造であって、
前記筐体の内部に配置されている内蔵部品（例えば、実施形態における第２軸受ＢＲＧ２。以下、同じ。）に潤滑油を供給する潤滑油供給機構（例えば、実施形態における排出機構６４。以下、同じ。）と、前記筐体内であって前記軸受よりも上方に位置するバッフル（例えば、実施形態におけるバッフルプレート６７。以下。同じ。）とを備え、
前記バッフルは、前記潤滑油を上方から前記軸受に導く筒状の供給油路（例えば、実施形態における供給油路６７ａ。以下。同じ。）と、前記供給油路の上方に配置され、前記ファイナルドリブンギヤが掻き上げた前記潤滑油を受け止めて、前記供給油路に導く潤滑油受面（例えば、実施形態における潤滑油受面６７ｂ。以下。同じ。）とを有し、
前記潤滑油供給機構は、前記供給油路に前記潤滑油を供給することを特徴とする。
【０００８】
このように、本発明の潤滑構造では、軸受に対して、バッフルプレートによってファイナルドリブンギヤが掻き上げた潤滑油が供給されるだけではなく、油圧作動機構から排出された潤滑油も供給される。ここで、油圧作動機構から排出された潤滑油の量は、オイルポンプの回転速度等で決定されるため、ファイナルドリブンギヤの回転数の影響を受けない。すなわち、ファイナルドリブンギヤの回転数が低下した場合であっても、油圧作動機構からは潤滑油を供給することができる。
【０００９】
したがって、本発明の潤滑構造によれば、ファイナルドリブンギヤが掻き上げる潤滑油の量に関わらず、ファイナルドリブンギヤを軸支する軸受を安定して潤滑することができる。
【００１０】
また、本発明の動力伝達装置の潤滑構造においては、
前記筐体の内部には、前記ファイナルドリブンギヤの上方で、前記バッフルに隣接するように、ギヤ（例えば、実施形態におけるファイナルドライブギヤ３６。以下。同じ。）が配置され、
前記潤滑油受面は、前記ギヤの歯部に隣接させて配置されていることが好ましい。
【００１１】
このように構成すると、潤滑油受面で受け止められた際に飛散した潤滑油を、ファイナルドリブンギヤの上方で、バッフルに隣接するように配置されているギヤに対して供給できるようになる。これにより、ファイナルドリブンギヤが掻き上げる潤滑油で上方に位置するギヤも適切に潤滑することができるようになる。
【００１２】
また、本発明の動力伝達装置の潤滑構造においては、
前記筐体は、少なくともトランスミッション側ケース部材（例えば、実施形態におけるＴＭ側ケース部材６２。以下。同じ。）と、トルクコンバータ側ケース部材（例えば、実施形態におけるＴＣ側ケース部材６１。以下。同じ。）とを備え、
前記軸受は、前記トルクコンバータ側ケース部材に設けられ、
前記潤滑油供給機構は、前記トランスミッション側ケース部材に設けられていることが好ましい。
【００１３】
このように構成すると、潤滑油供給機構が配置されていない側のトルクコンバータ側ケース部材に設けられている軸受も、トランスミッション側ケース部材に設けられている潤滑油供給機構を利用して適切に潤滑することができるようになる。
【００１４】
また、本発明の動力伝達装置の潤滑構造においては、
前記バッフルは、前記供給油路の側面に開口部（例えば、実施形態における第１開口部６７ａ１。以下、同じ。）を有し、
前記潤滑油供給機構は、前記潤滑油を吐出する吐出口（例えば、実施形態における吐出口６４ａ１。以下、同じ。）を有し、
前記吐出口の先端部は、前記開口部を介して前記供給油路に挿入されているように構成してもよい。
【図面の簡単な説明】
【００１５】
【図１】実施形態に係る潤滑構造を備えた動力伝達装置が搭載されている車両を模式的に示す説明図。
【図２】図１の車両に搭載されているトランスミッションを示すスケルトン図。
【図３】図２のトランスミッションの遊星歯車機構の共線図。
【図４】図２のトランスミッションの各変速段における各係合機構の係合状態を示す説明図。
【図５】図１の動力伝達装置のトランスミッションケースの要部を断面として示す正面図。
【図６】図５のトランスミッションケースのＴＭ側ケース部材及びそれに固定される部品を示す側面図。
【図７】図５のトランスミッションケースのＴＭ側ケース部材及びそれに固定される部品を示す側面図。
【図８】図７のバッフルプレートの形状を示す斜視図。
【図９】図５のトランスミッションケースのＴＭ側ケース部材及びそれに固定される部品の要部を拡大して示す斜視図。
【発明を実施するための形態】
【００１６】
以下、図面を参照して、実施形態に係る潤滑構造を備えた動力伝達装置を搭載した車両について説明する。
【００１７】
図１に示すように、エンジンＥ（内燃機関、駆動源）は、クランクシャフト１が車両Ｖの車体左右方向を向くように、車体に対して横置きに搭載されている。エンジンＥの駆動力は、動力伝達装置ＰＴを介して、左前輪ＷＦＬ及び右前輪ＷＦＲ並びに左後輪ＷＲＬ及び右後輪ＷＲＲに伝達される。
【００１８】
動力伝達装置ＰＴは、クランクシャフト１に接続されたトルクコンバータ２と、トルクコンバータ２に接続されたトランスミッション３と、トランスミッション３に接続されたフロントデファレンシャルギヤ４（デファレンシャル装置）と、フロントデファレンシャルギヤ４に接続されたトランスファー装置５と、トランスファー装置５に接続されたリヤデファレンシャルギヤ６とで構成されている。
【００１９】
フロントデファレンシャルギヤ４は、前部左車軸７Ｌ及び前部右車軸７Ｒを介して、左前輪ＷＦＬ及び右前輪ＷＦＲに接続されている。リヤデファレンシャルギヤ６は、プロペラシャフト８を介して、トランスファー装置５に接続されており、後部左車軸９Ｌ及び後部右車軸９Ｒを介して、左後輪ＷＲＬ及び右後輪ＷＲＲに接続されている。
【００２０】
図２のスケルトン図に示すように、トランスミッション３は、トランスミッションケース３１（筐体）の内部に回転自在に軸支されている入力軸３２と、入力軸３２と同心に配置されている出力ギヤからなる出力部材３３とを備えている。
【００２１】
エンジンＥが出力する駆動力は、ロックアップクラッチ及びダンパを有するトルクコンバータ２を介して、入力軸３２に伝達される。
【００２２】
出力部材３３の回転は、出力部材３３と噛合するアイドルギヤ３４と、アイドルギヤ３４を軸支するアイドル軸３５と、アイドル軸３５に軸支されるファイナルドライブギヤ３６と、ファイナルドライブギヤ３６に噛合するファイナルドリブンギヤ４２（すなわち、フロントデファレンシャルギヤ４）とを介して、左前輪ＷＦＬ及び右前輪ＷＦＲ（図１参照）に伝達される。
【００２３】
なお、動力伝達装置ＰＴでは、トルクコンバータ２に代えて、摩擦係合自在に構成される単板型又は多板型の発進クラッチを設けてもよい。
【００２４】
トランスミッションケース３１の内部には、エンジンＥ側から順に、第１遊星歯車機構ＰＧ１、第２遊星歯車機構ＰＧ２、第３遊星歯車機構ＰＧ３及び第４遊星歯車機構ＰＧ４が、入力軸３２と同心に配置されている。
【００２５】
第３遊星歯車機構ＰＧ３は、サンギヤＳｃと、リングギヤＲｃと、サンギヤＳｃ及びリングギヤＲｃに噛合するピニオンＰｃを自転及び公転自在に軸支するキャリアＣｃとを要素とする、いわゆるシングルピニオン型の遊星歯車機構として構成されている。
【００２６】
いわゆるシングルピニオン型の遊星歯車機構は、キャリアを固定してサンギヤを回転させると、リングギヤがサンギヤと異なる方向に回転するため、マイナス遊星歯車機構又はネガティブ遊星歯車機構ともいう。なお、いわゆるシングルピニオン型の遊星歯車機構は、リングギヤを固定してサンギヤを回転させると、キャリアがサンギヤと同一方向に回転する。
【００２７】
図３の上から２段目に示す共線図（サンギヤ、キャリア、リングギヤの３つの要素の相対回転速度の比を直線（速度線）で表すことができる図）は、第３遊星歯車機構ＰＧ３の共線図である。この共線図に示すように、第３遊星歯車機構ＰＧ３の３つの要素であるサンギヤＳｃ，キャリアＣｃ，リングギヤＲｃを、共線図におけるギヤ比（リングギヤの歯数／サンギヤの歯数）に対応する間隔での並び順に左側からそれぞれ第１要素、第２要素及び第３要素とすると、第１要素はサンギヤＳｃ、第２要素はキャリアＣｃ、第３要素はリングギヤＲｃになる。
【００２８】
ここで、サンギヤＳｃからキャリアＣｃまでの間隔とキャリアＣｃからリングギヤＲｃまでの間隔との比は、第３遊星歯車機構ＰＧ３のギヤ比をｈとして、ｈ：１に設定されている。なお、共線図において、下の横線と上の横線（４ｔｈ及び６ｔｈと重なる線）はそれぞれ回転速度が「０」と「１」（入力軸３２と同じ回転速度）であることを示している。
【００２９】
第４遊星歯車機構ＰＧ４も、サンギヤＳｄと、リングギヤＲｄと、サンギヤＳｄ及びリングギヤＲｄに噛合するピニオンＰｄを自転及び公転自在に軸支するキャリアＣｄとを要素とする、いわゆるシングルピニオン型の遊星歯車機構として構成されている。
【００３０】
図３の上から１段目（最上段）に示す共線図は、第４遊星歯車機構ＰＧ４の共線図である。この共線図に示すように、第４遊星歯車機構ＰＧ４の３つの要素であるサンギヤＳｄ，キャリアＣｄ，リングギヤＲｄを、共線図におけるギヤ比に対応する間隔での並び順に左側から夫々第４要素、第５要素及び第６要素とすると、第４要素はリングギヤＲｄ、第５要素はキャリアＣｄ、第６要素はサンギヤＳｄになる。
【００３１】
ここで、サンギヤＳｄからキャリアＣｄまでの間隔とキャリアＣｄからリングギヤＲｄまでの間隔との比は、第４遊星歯車機構ＰＧ４のギヤ比をｉとして、ｉ：１に設定されている。
【００３２】
第１遊星歯車機構ＰＧ１も、サンギヤＳａと、リングギヤＲａと、サンギヤＳａ及びリングギヤＲａに噛合するピニオンＰａを自転及び公転自在に軸支するキャリアＣａとを要素とする、いわゆるシングルピニオン型の遊星歯車機構で構成されている。
【００３３】
図３の上から３段目に示す共線図は、第１遊星歯車機構ＰＧ１の共線図である。この共線図に示すように、第１遊星歯車機構ＰＧ１の３つの要素であるサンギヤＳａ，キャリアＣａ，リングギヤＲａを、共線図におけるギヤ比に対応する間隔での並び順に左側から夫々第７要素、第８要素及び第９要素とすると、第７要素はサンギヤＳａ、第８要素はキャリアＣａ、第９要素はリングギヤＲａになる。
【００３４】
ここで、サンギヤＳａからキャリアＣａまでの間隔とキャリアＣａからリングギヤＲａまでの間隔との比は、第１遊星歯車機構ＰＧ１のギヤ比をｊとして、ｊ：１に設定されている。
【００３５】
第２遊星歯車機構ＰＧ２も、サンギヤＳｂと、リングギヤＲｂと、サンギヤＳｂ及びリングギヤＲｂに噛合するピニオンＰｂを自転及び公転自在に軸支するキャリアＣｂとを要素とする、いわゆるシングルピニオン型の遊星歯車機構で構成される。
【００３６】
図３の上から４段目（最下段）に示す共線図は、第２遊星歯車機構ＰＧ２の共線図である。この共線図に示すように、第２遊星歯車機構ＰＧ２の３つの要素であるサンギヤＳｂ，キャリアＣｂ，リングギヤＲｂを、共線図におけるギヤ比に対応する間隔での並び順に左側から夫々第１０要素、第１１要素及び第１２要素とすると、第１０要素はリングギヤＲｂ、第１１要素はキャリアＣｂ、第１２要素はサンギヤＳｂになる。
【００３７】
ここで、サンギヤＳｂからキャリアＣｂまでの間隔とキャリアＣｂからリングギヤＲｂまでの間隔との比は、第２遊星歯車機構ＰＧ２のギヤ比をｋとして、ｋ：１に設定されている。
【００３８】
第３遊星歯車機構ＰＧ３のサンギヤＳｃ（第１要素）は、入力軸３２に連結されている。また、第２遊星歯車機構ＰＧ２のリングギヤＲｂ（第１０要素）は、出力ギヤからなる出力部材３３に連結されている。
【００３９】
また、第３遊星歯車機構ＰＧ３のキャリアＣｃ（第２要素）と第４遊星歯車機構ＰＧ４のキャリアＣｄ（第５要素）と第１遊星歯車機構ＰＧ１のリングギヤＲａ（第９要素）とが連結されて、第１連結体Ｃｃ−Ｃｄ−Ｒａが構成されている。
【００４０】
また、第３遊星歯車機構ＰＧ３のリングギヤＲｃ（第３要素）と第２遊星歯車機構ＰＧ２のサンギヤＳｂ（第１２要素）とが連結されて、第２連結体Ｒｃ−Ｓｂが構成されている。
【００４１】
また、第１遊星歯車機構ＰＧ１のキャリアＣａ（第８要素）と第２遊星歯車機構ＰＧ２のキャリアＣｂ（第１１要素）とが連結されて、第３連結体Ｃａ−Ｃｂが構成されている。
【００４２】
また、トランスミッション３は、第１クラッチＣ１、第２クラッチＣ２及び第３クラッチＣ３の３つのクラッチと、第１ブレーキＢ１、第２ブレーキＢ２及び第３ブレーキＢ３の３つのブレーキと、１つのツーウェイクラッチＦ１とからなる７つの係合機構を備えている。
【００４３】
第１クラッチＣ１は、油圧作動型の湿式多板クラッチである。この第１クラッチＣ１によって、第３遊星歯車機構ＰＧ３は、サンギヤＳｃ（第１要素）と第３連結体Ｃａ−Ｃｂとを連結する連結状態と、この連結を断つ開放状態とを、切換自在に構成されている。
【００４４】
第３クラッチＣ３は、油圧作動型の湿式多板クラッチである。この第３クラッチＣ３によって、第３遊星歯車機構ＰＧ３は、サンギヤＳｃ（第１要素）と第４遊星歯車機構ＰＧ４のリングギヤＲｄ（第４要素）とを連結する連結状態と、この連結を断つ開放状態とを、切換自在に構成されている。
【００４５】
第２クラッチＣ２は、油圧作動型の湿式多板クラッチである。この第２クラッチＣ２によって、第４遊星歯車機構ＰＧ４は、サンギヤＳｄ（第６要素）と第２連結体Ｒｃ−Ｓｂとを連結する連結状態と、この連結を断つ開放状態とを、切換自在に構成されている。
【００４６】
ツーウェイクラッチＦ１は、第４ブレーキＢ４としての機能を兼ね備えるものである。このツーウェイクラッチＦ１は、第３連結体Ｃａ−Ｃｂの正転（入力軸３２及び出力部材３３の回転方向と同一方向への回転）を許容し、逆転を阻止する逆転阻止状態と、第３連結体Ｃａ−Ｃｂをトランスミッションケース３１に固定する固定状態とを、切換自在に構成されている。
【００４７】
ツーウェイクラッチＦ１は、逆転阻止状態において、第３連結体Ｃａ−Ｃｂに正転方向に回転しようとする力が加わった場合には、この回転が許容されて開放状態となる。一方、逆転方向に回転しようとする力が加わった場合には、この回転が阻止されてトランスミッションケース３１に固定される固定状態となる。
【００４８】
第１ブレーキＢ１は、油圧作動型の湿式多板ブレーキである。この第１ブレーキＢ１によって、第１遊星歯車機構ＰＧ１は、サンギヤＳａ（第７要素）をトランスミッションケース３１に固定する固定状態と、この固定を解除する開放状態とを、切換自在に構成されている。
【００４９】
第２ブレーキＢ２は、油圧作動型の湿式多板ブレーキである。この第２ブレーキＢ２によって、第４遊星歯車機構ＰＧ４は、サンギヤＳｄ（第６要素）をトランスミッションケース３１に固定する固定状態と、この固定を解除する開放状態とを、切換自在に構成されている。
【００５０】
第３ブレーキＢ３は、油圧作動型の湿式多板ブレーキである。この第３ブレーキＢ３によって、第４遊星歯車機構ＰＧ４は、リングギヤＲｄ（第４要素）をトランスミッションケース３１に固定する固定状態と、この固定を解除する開放状態とを、切換自在に構成されている。
【００５１】
第１クラッチＣ１、第２クラッチＣ２及び第３クラッチＣ３の３つのクラッチと、第１ブレーキＢ１、第２ブレーキＢ２及び第３ブレーキＢ３の３つのブレーキと、１つのツーウェイクラッチＦ１の切り換えは、トランスミッション・コントロール・ユニット（ＴＣＵ）で構成される変速制御装置ＥＣＵ（図１参照）により、図示省略した統合制御ユニットなどから送信される車両Ｖの走行速度等の車両情報に基づいて、制御される。
【００５２】
変速制御装置ＥＣＵは、図示省略したＣＰＵやメモリ等により構成された電子ユニットで構成されている。変速制御装置ＥＣＵは、車両Ｖの走行速度やアクセル開度、エンジンＥの回転速度や出力トルク、パドルシフトレバーの操作情報等の所定の車両情報を受信し、メモリ等の記憶装置に保持された制御プログラムをＣＰＵで実行することにより、トランスミッション３を制御する。
【００５３】
トランスミッション３では、入力軸３２の軸線上には、エンジンＥ及びトルクコンバータ２側から順に、第１クラッチＣ１、第１遊星歯車機構ＰＧ１、第２遊星歯車機構ＰＧ２、第３遊星歯車機構ＰＧ３、第２クラッチＣ２、第４遊星歯車機構ＰＧ４、第３クラッチＣ３が配置されている。
【００５４】
そして、第３ブレーキＢ３が第４遊星歯車機構ＰＧ４の径方向外方に配置され、第２ブレーキＢ２が第２クラッチＣ２の径方向外方に配置され、第１ブレーキＢ１は第１クラッチＣ１の径方向外方に配置され、ツーウェイクラッチＦ１は第１遊星歯車機構ＰＧ１の径方向外方に配置されている。
【００５５】
そのため、トランスミッション３では、第１ブレーキＢ１、第２ブレーキＢ２及び第３ブレーキＢ３及びツーウェイクラッチＦ１を遊星歯車機構又はクラッチの径方向外方に配置している。これにより、第１ブレーキＢ１、第２ブレーキＢ２及び第３ブレーキＢ３及びツーウェイクラッチＦ１を遊星歯車機構とともに入力軸３２の軸線上に並べて配置した場合に比べて、トランスミッション３の軸長が短縮化されている。
【００５６】
なお、第３ブレーキＢ３を第３クラッチＣ３の径方向外方に配置し、第２ブレーキＢ２を第４遊星歯車機構ＰＧ４の径方向外方に配置しても、同様に短縮化を図ることができる。
【００５７】
ここで、図３及び図４を参照して、実施形態のトランスミッション３の各変速段を確立させる場合について説明する。
【００５８】
なお、図３中の破線で示す速度線は、第１遊星歯車機構ＰＧ１、第２遊星歯車機構ＰＧ２、第３遊星歯車機構ＰＧ３及び第４遊星歯車機構ＰＧ４のうち動力伝達する遊星歯車機構に追従して他の遊星歯車機構の各要素が回転（空回り）することを表している。
【００５９】
図４は、後述する各変速段における第１クラッチＣ１、第２クラッチＣ２及び第３クラッチＣ３の３つのクラッチ、第１ブレーキＢ１、第２ブレーキＢ２及び第３ブレーキＢ３の３つのブレーキ、１つのツーウェイクラッチＦ１の状態を纏めて表示した図である。
【００６０】
この図において、第１クラッチＣ１、第２クラッチＣ２及び第３クラッチＣ３、第１ブレーキＢ１、第２ブレーキＢ２及び第３ブレーキＢ３の列の「○」は連結状態又は固定状態を示し、空欄は開放状態を示している。また、ツーウェイクラッチＦ１の列の「Ｒ」は逆転阻止状態を示し、「Ｌ」は固定状態を示している。
【００６１】
また、下線を付した「Ｒ」及び「Ｌ」はツーウェイクラッチＦ１の働きで第３連結体Ｃａ−Ｃｂの回転速度が「０」となることを示している。また、「Ｒ／Ｌ」は、通常時は逆転阻止状態の「Ｒ」であるが、エンジンブレーキを効かせる場合には固定状態の「Ｌ」に切り換えることを示している。
【００６２】
また、図４には、第３遊星歯車機構ＰＧ３のギヤ比ｈを２．７３４、第４遊星歯車機構ＰＧ４のギヤ比ｉを１．６１４、第１遊星歯車機構ＰＧ１のギヤ比ｊを２．６８１、第２遊星歯車機構ＰＧ２のギヤ比ｋを１．９１４とした場合における各変速段の変速比（入力軸３２の回転速度／出力部材３３の回転速度）、及び、公比（各変速段間の変速比の比。所定の変速段の変速比を所定の変速段よりも１段高速側の変速段の変速比で割った値。）も示しており、これによれば、公比を適切に設定できることが分かる。
【００６３】
１速段を確立させる場合には、ツーウェイクラッチＦ１を逆転阻止状態（図４のＲ）とし、第１ブレーキＢ１及び第２ブレーキＢ２を固定状態とする。
【００６４】
ツーウェイクラッチＦ１を逆転阻止状態（Ｒ）とし、第１ブレーキＢ１を固定状態とすることで、第３連結体Ｃａ−Ｃｂ及び第１遊星歯車機構ＰＧ１のサンギヤＳａ（第７要素）の逆転が阻止され、第３連結体Ｃａ−Ｃｂ及び第１遊星歯車機構ＰＧ１のサンギヤＳａ（第７要素）の回転速度が「０」になる。
【００６５】
これにより、第１遊星歯車機構ＰＧ１のサンギヤＳａ（第７要素），キャリアＣａ（第８要素），リングギヤＲａ（第９要素）が相対回転不能なロック状態となり、第１遊星歯車機構ＰＧ１のリングギヤＲａ（第９要素）を含む第１連結体Ｃｃ−Ｃｄ−Ｒａの回転速度も「０」になる。
【００６６】
そして、出力部材３３が連結された第２遊星歯車機構ＰＧ２のリングギヤＲｂ（第１０要素）の回転速度が図３に示す「１ｓｔ」となり、１速段が確立される。
【００６７】
なお、１速段を確立させるためには第２ブレーキＢ２を固定状態とする必要はない。しかし、１速段から後述する２速段へスムーズに変速できるように、１速段で固定状態とさせている。また、１速段でエンジンブレーキを効かせる場合には、ツーウェイクラッチＦ１を逆転阻止状態（Ｒ）から固定状態（Ｌ）に切り換えればよい。
【００６８】
２速段を確立させる場合には、ツーウェイクラッチＦ１を逆転阻止状態（Ｒ）とし、第１ブレーキＢ１及び第２ブレーキＢ２を固定状態とし、第２クラッチＣ２を連結状態とする。
【００６９】
ツーウェイクラッチＦ１を逆転阻止状態とすることで、第３連結体Ｃａ−Ｃｂの正転が許容される。また、第１ブレーキＢ１を固定状態とすることで、第１遊星歯車機構ＰＧ１のサンギヤＳａ（第７要素）の回転速度が「０」になる。また、第２ブレーキＢ２を固定状態とすることで、第４遊星歯車機構ＰＧ４のサンギヤＳｄ（第６要素）の回転速度が「０」になる。
【００７０】
また、第２クラッチＣ２を連結状態とすることで、第２連結体Ｒｃ−Ｓｂの回転速度が、第４遊星歯車機構ＰＧ４のサンギヤＳｄ（第６要素）の回転速度と同一速度の「０」になる。
【００７１】
そして、出力部材３３が連結された第２遊星歯車機構ＰＧ２のリングギヤＲｂ（第１０要素）の回転速度が図３に示す「２ｎｄ」となり、２速段が確立される。
【００７２】
３速段を確立させる場合には、ツーウェイクラッチＦ１を逆転阻止状態とし、第１ブレーキＢ１及び第２ブレーキＢ２を固定状態とし、第３クラッチＣ３を連結状態とする。
【００７３】
ツーウェイクラッチＦ１を逆転阻止状態とすることで、第３連結体Ｃａ−Ｃｂの正転が許容される。また、第１ブレーキＢ１を固定状態とすることで、第１遊星歯車機構ＰＧ１のサンギヤＳａ（第７要素）の回転速度が「０」になる。また、第２ブレーキＢ２を固定状態とすることで、第４遊星歯車機構ＰＧ４のサンギヤＳｄ（第６要素）の回転速度が「０」になる。
【００７４】
また、第３クラッチＣ３を連結状態とすることで、第４遊星歯車機構ＰＧ４のリングギヤＲｄ（第４要素）の回転速度が、入力軸３２に連結された第３遊星歯車機構ＰＧ３のサンギヤＳｃ（第１要素）の回転速度と同一速度の「１」となる。
【００７５】
これにより、第４遊星歯車機構ＰＧ４のサンギヤＳｄ（第６要素）の回転速度が「０」となり、リングギヤＲｄ（第４要素）の回転速度が「１」となるので、キャリアＣｄ（第５要素）の回転速度、すなわち、第１連結体Ｃｃ−Ｃｄ−Ｒａの回転速度は、ｉ／（ｉ＋１）となる。
【００７６】
そして、出力部材３３が連結された第２遊星歯車機構ＰＧ２のリングギヤＲｂ（第１０要素）の回転速度が図３に示す「３ｒｄ」となり、３速段が確立される。
【００７７】
４速段を確立させる場合には、ツーウェイクラッチＦ１を逆転阻止状態とし、第１ブレーキＢ１を固定状態とし、第２クラッチＣ２及び第３クラッチＣ３を連結状態とする。
【００７８】
ツーウェイクラッチＦ１を逆転阻止状態とすることで、第３連結体Ｃａ−Ｃｂの正転が許容される。また、第１ブレーキＢ１を固定状態とすることで、第１遊星歯車機構ＰＧ１のサンギヤＳａ（第７要素）の回転速度が「０」になる。
【００７９】
また、第２クラッチＣ２を連結状態とすることで、第４遊星歯車機構ＰＧ４のサンギヤＳｄ（第６要素）と第２連結体Ｒｃ−Ｓｂとが同一速度で回転する。これにより、第３遊星歯車機構ＰＧ３と第４遊星歯車機構ＰＧ４との間では、キャリアＣｃ（第２要素）とキャリアＣｄ（第５要素）とが連結され、リングギヤＲｃ（第３要素）とサンギヤＳｄ（第６要素）とが連結されることとなる。そのため、第２クラッチＣ２を連結状態とする４速段においては、第３遊星歯車機構ＰＧ３と第４遊星歯車機構ＰＧ４とで４つの要素からなる１つの共線図を描くことができる。
【００８０】
さらに、第３クラッチＣ３を連結状態とすることで、第４遊星歯車機構ＰＧ４のリングギヤＲｄ（第４要素）の回転速度が、第３遊星歯車機構ＰＧ３のサンギヤＳｃ（第１要素）の回転速度と同一速度の「１」となり、第３遊星歯車機構ＰＧ３と第４遊星歯車機構ＰＧ４とで構成される４つの要素のうちの２つの要素の回転速度が同一速度の「１」となる。
【００８１】
これにより、第３遊星歯車機構ＰＧ３及び第４遊星歯車機構ＰＧ４の各要素が相対回転不能なロック状態となり、第３遊星歯車機構ＰＧ３及び第４遊星歯車機構ＰＧ４の全ての要素の回転速度が「１」となる。また、第３連結体Ｃａ−Ｃｂの回転速度がｊ／（ｊ＋１）となる。
【００８２】
そして、出力部材３３が連結された第２遊星歯車機構ＰＧ２のリングギヤＲｂ（第１０要素）の回転速度が図３に示す「４ｔｈ」となり、４速段が確立される。
【００８３】
５速段を確立させる場合には、ツーウェイクラッチＦ１を逆転阻止状態とし、第１ブレーキＢ１を固定状態とし、第１クラッチＣ１及び第３クラッチＣ３を連結状態とする。
【００８４】
ツーウェイクラッチＦ１を逆転阻止状態とすることで、第３連結体Ｃａ−Ｃｂの正転が許容される。また、第１ブレーキＢ１を固定状態とすることで、第１遊星歯車機構ＰＧ１のサンギヤＳａ（第７要素）の回転速度が「０」になる。
【００８５】
また、第１クラッチＣ１を連結状態とすることで、第３連結体Ｃａ−Ｃｂの回転速度が第３遊星歯車機構ＰＧ３のサンギヤＳｃ（第１要素）の回転速度と同一速度の「１」になる。
【００８６】
そして、出力部材３３が連結された第２遊星歯車機構ＰＧ２のリングギヤＲｂ（第１０要素）の回転速度が図３に示す「５ｔｈ」となり、５速段が確立される。
【００８７】
なお、５速段を確立させるためには第３クラッチＣ３を連結状態とする必要はない。しかし、４速段及び後述する６速段では第３クラッチＣ３を連結状態とする必要があるので、５速段から４速段へのダウンシフト、及び、５速段から後述する６速段へのアップシフトをスムーズに行えるように、５速段でも連結状態とさせている。
【００８８】
６速段を確立させる場合には、ツーウェイクラッチＦ１を逆転阻止状態とし、第１クラッチＣ１、第２クラッチＣ２及び第３クラッチＣ３を連結状態とする。
【００８９】
ツーウェイクラッチＦ１を逆転阻止状態とすることで、第３連結体Ｃａ−Ｃｂの正転が許容される。
【００９０】
また、第２クラッチＣ２及び第３クラッチＣ３を連結状態とすることで、４速段の説明において述べたように、第３遊星歯車機構ＰＧ３と第４遊星歯車機構ＰＧ４の各要素が相対回転不能な状態となり、第２連結体Ｒｃ−Ｓｂの回転速度が「１」となる。また、第１クラッチＣ１を連結状態とすることで、第３連結体Ｃａ−Ｃｂの回転速度が「１」となる。
【００９１】
これにより、第２遊星歯車機構ＰＧ２は、キャリアＣｂ（第１１要素）とサンギヤＳｂ（第１２要素）とが同一速度の「１」となり、各要素が相対回転不能なロック状態となる。
【００９２】
そして、出力部材３３が連結された第２遊星歯車機構ＰＧ２のリングギヤＲｂ（第１０要素）の回転速度が図３に示す「６ｔｈ」の「１」となり、６速段が確立される。
【００９３】
７速段を確立させる場合には、ツーウェイクラッチＦ１を逆転阻止状態とし、第２ブレーキＢ２を固定状態とし、第１クラッチＣ１及び第３クラッチＣ３を連結状態とする。
【００９４】
ツーウェイクラッチＦ１を逆転阻止状態とすることで、第３連結体Ｃａ−Ｃｂの正転が許容される。また、第２ブレーキＢ２を固定状態とすることで、第４遊星歯車機構ＰＧ４のサンギヤＳｄ（第６要素）の回転速度が「０」になる。
【００９５】
また、第３クラッチＣ３を連結状態とすることで、第４遊星歯車機構ＰＧ４のリングギヤＲｄ（第４要素）の回転速度が、第３遊星歯車機構ＰＧ３のサンギヤＳｃ（第１要素）の回転速度と同一速度の「１」となり、第４遊星歯車機構ＰＧ４のキャリアＣｄ（第５要素）を含む第１連結体Ｃｃ−Ｃｄ−Ｒａの回転速度がｉ／（ｉ＋１）となる。また、第１クラッチＣ１を連結状態とすることで、第３連結体Ｃａ−Ｃｂの回転速度が、入力軸３２に連結された第３遊星歯車機構ＰＧ３のサンギヤＳｃ（第１要素）の回転速度と同一速度の「１」になる。
【００９６】
そして、出力部材３３が連結された第２遊星歯車機構ＰＧ２のリングギヤＲｂ（第１０要素）の回転速度が図３に示す「７ｔｈ」となり、７速段が確立される。
【００９７】
８速段を確立させる場合には、ツーウェイクラッチＦ１を逆転阻止状態とし、第２ブレーキＢ２を固定状態とし、第１クラッチＣ１及び第２クラッチＣ２を連結状態とする。
【００９８】
ツーウェイクラッチＦ１を逆転阻止状態とすることで、第３連結体Ｃａ−Ｃｂの正転が許容される。また、第２ブレーキＢ２を固定状態とすることで、第４遊星歯車機構ＰＧ４のサンギヤＳｄ（第６要素）の回転速度が「０」になる。
【００９９】
また、第２クラッチＣ２を連結状態とすることで、第２連結体Ｒｃ−Ｓｂの回転速度が第４遊星歯車機構ＰＧ４のサンギヤＳｄ（第６要素）の回転速度と同一速度の「０」になる。また、第１クラッチＣ１を連結状態とすることで、第３連結体Ｃａ−Ｃｂの回転速度が第３遊星歯車機構ＰＧ３のサンギヤＳｃ（第１要素）の回転速度と同一速度の「１」になる。
【０１００】
そして、出力部材３３が連結された第２遊星歯車機構ＰＧ２のリングギヤＲｂ（第１０要素）の回転速度が図３に示す「８ｔｈ」となり、８速段が確立される。
【０１０１】
９速段を確立させる場合には、ツーウェイクラッチＦ１を逆転阻止状態とし、第２ブレーキＢ２及び第３ブレーキＢ３を固定状態とし、第１クラッチＣ１を連結状態とする。
【０１０２】
ツーウェイクラッチＦ１を逆転阻止状態とすることで、第３連結体Ｃａ−Ｃｂの正転が許容される。また、第２ブレーキＢ２を固定状態とすることで、第４遊星歯車機構ＰＧ４のサンギヤＳｄ（第６要素）の回転速度が「０」になる。また、第３ブレーキＢ３を固定状態とすることで、第４遊星歯車機構ＰＧ４のリングギヤＲｄ（第４要素）の回転速度も「０」となる。
【０１０３】
これにより、第４遊星歯車機構ＰＧ４のサンギヤＳｄ（第６要素），キャリアＣｄ（第５要素），リングギヤＲｄ（第４要素）は相対回転不能なロック状態となり、第４遊星歯車機構ＰＧ４のキャリアＣｄ（第５要素）を含む第１連結体Ｃｃ−Ｃｄ−Ｒａの回転速度も「０」になる。
【０１０４】
また、第１クラッチＣ１を連結状態とすることで、第３連結体Ｃａ−Ｃｂの回転速度は第３遊星歯車機構ＰＧ３のサンギヤＳｃ（第１要素）の回転速度と同一速度の「１」となる。
【０１０５】
そして、出力部材３３が連結された第２遊星歯車機構ＰＧ２のリングギヤＲｂ（第１０要素）の回転速度が図３に示す「９ｔｈ」となり、９速段が確立される。
【０１０６】
１０速段を確立させる場合には、ツーウェイクラッチＦ１を逆転阻止状態とし、第３ブレーキＢ３を固定状態とし、第１クラッチＣ１及び第２クラッチＣ２を連結状態とする。
【０１０７】
ツーウェイクラッチＦ１を逆転阻止状態とすることで、第３連結体Ｃａ−Ｃｂの正転が許容される。また、第３ブレーキＢ３を固定状態とすることで、第４遊星歯車機構ＰＧ４のリングギヤＲｄ（第４要素）の回転速度が「０」になる。
【０１０８】
また、第２クラッチＣ２を連結状態とすることで、第２連結体Ｒｃ−Ｓｂと第４遊星歯車機構ＰＧ４のサンギヤＳｄ（第６要素）とが同一速度で回転する。また、第１クラッチＣ１を連結状態とすることで、第３連結体Ｃａ−Ｃｂの回転速度が第３遊星歯車機構ＰＧ３のサンギヤＳｃ（第１要素）の回転速度と同一速度の「１」となる。
【０１０９】
そして、出力部材３３が連結された第２遊星歯車機構ＰＧ２のリングギヤＲｄ（第１０要素）の回転速度が図３に示す「１０ｔｈ」となり、１０速段が確立される。
【０１１０】
後進段を確立させる場合には、ツーウェイクラッチＦ１を固定状態（図４のＬ）とし、第２ブレーキＢ２を固定状態とし、第３クラッチＣ３を連結状態とする。
【０１１１】
第２ブレーキＢ２を固定状態とし、第３クラッチＣ３を連結状態とすることで、第１連結体Ｃｃ−Ｃｄ−Ｒａの回転速度がｉ／（ｉ＋１）となる。また、ツーウェイクラッチＦ１を固定状態とすることで、第３連結体Ｃａ−Ｃｂの回転速度が「０」になる。
【０１１２】
そして、出力部材３３が連結された第２遊星歯車機構ＰＧ２のリングギヤＲｂ（第１０要素）の回転速度が図３に示す逆転の「Ｒｖｓ」となり、後進段が確立される。
【０１１３】
図２に戻り、フロントデファレンシャルギヤ４は、トランスミッション３のトランスミッションケース３１に回転自在に支持されたデファレンシャルケース４１を備えている（図５参照）。デファレンシャルケース４１の外周には、アイドル軸３５に設けたファイナルドライブギヤ３６に噛合するファイナルドリブンギヤ４２が固定されている。
【０１１４】
トランスミッション３のアイドル軸３５の回転は、ファイナルドライブギヤ３６及びファイナルドリブンギヤ４２を介して、デファレンシャルケース４１に伝達される。デファレンシャルケース４１の回転は、左前輪ＷＦＬ及び右前輪ＷＦＲの負荷に応じて、前部左車軸７Ｌ及び前部右車軸７Ｒに伝達される。
【０１１５】
前部左車軸７Ｌに連なる前部左出力軸４３Ｌ及び前部右車軸７Ｒに連なる前部右出力軸４３Ｒは、デファレンシャルケース４１に相対回転自在に嵌合している。前部左出力軸４３Ｌ及び前部右出力軸４３Ｒの対向端の各々には、デファレンシャルサイドギヤ４４がスプライン結合されている。
【０１１６】
デファレンシャルケース４１の内部には、前部左出力軸４３Ｌ及び前部右出力軸４３Ｒと直交するように、ピニオンシャフト４５が固定されている。ピニオンシャフト４５には、２つのデファレンシャルサイドギヤ４４にそれぞれ噛合する一対のピニオンギヤ４６が回転自在に支持されている。
【０１１７】
トランスファー装置５は、フロントデファレンシャルギヤ４のファイナルドリブンギヤ４２から駆動力が伝達されるトランスファー入力軸５１と、トランスファー入力軸５１から駆動力が伝達され、プロペラシャフト８へ駆動力を伝達するトランスファー出力軸５２とを備えている。
【０１１８】
トランスファー入力軸５１のフロントデファレンシャルギヤ４側の端部には、ファイナルドリブンギヤ４２と噛合するトランスファー入力ギヤ５３が、スプライン嵌合して軸支されている。トランスファー入力軸５１の反対側の端部には、ヘリカルギヤである第１ベベルギヤ５４が設けられている。
【０１１９】
トランスファー出力軸５２のトランスファー入力軸５１側の端部（前端）には、ヘリカルギヤである第２ベベルギヤ５５が設けられている。一方、トランスファー出力軸５２の後端には、プロペラシャフト８端が結合されている。
【０１２０】
第１ベベルギヤ５４と第２ベベルギヤ５５とが噛合することにより、トランスファー入力軸５１の回転は、トランスファー出力軸５２を介して、プロペラシャフト８（図１参照）に伝達される。
【０１２１】
次に、図５〜図９を参照して、トランスミッションケース３１（筐体）及びその内部に設けられた動力伝達装置ＰＴの潤滑油供給構造について説明する。この潤滑油供給構造は、ファイナルドリブンギヤ４２をトランスミッションケース３１に対して回転自在に軸支する第１軸受ＢＲＧ１（図５参照）に潤滑油を供給し、潤滑するためのものである。
【０１２２】
まず、図５〜図８を参照して、潤滑油供給構造の構成について説明する。
【０１２３】
図５に示すように、トランスミッションケース３１は、ＴＣ側ケース部材６１（トルクコンバータ側ケース部材）とＴＭ側ケース部材６２（トランスミッション側ケース部材）とを互いに開口縁で繋ぎ合わせて構成されている。また、ＴＣ側ケース部材６１の開口端縁とＴＭ側ケース部材６２の開口端縁との間には、内部の潤滑油の漏れを防止するために、ガスケット６３が挟持されている。
【０１２４】
このトランスミッションケース３１には、デファレンシャルケース４１（すなわち、デファレンシャルケース４１の外周に設けられているファイナルドリブンギヤ４２）が、第１軸受ＢＲＧ１及び第２軸受ＢＲＧ２によって回転自在に軸支されている。第１軸受ＢＲＧ１は、ＴＣ側ケース部材６１に固定されている。第２軸受ＢＲＧ２は、ＴＭ側ケース部材６２に固定されている。
【０１２５】
図６に示すように、ＴＭ側ケース部材６２には、排出機構６４（潤滑油供給機構）及び動力伝達装置ＰＴを構成する内蔵部品（例えば、第２軸受ＢＲＧ２等）、ストレーナ６５及びポンプ６６が取り付けられている。
【０１２６】
排出機構６４は、ＴＭ側ケース部材６２の内部の空間の上方であって、トルクコンバータ２等の油圧作動機構に対応する位置に配置されている。排出機構６４は、油圧作動機構で利用された作動油の少なくとも一部を、第２軸受ＢＲＧ２への潤滑油として、供給パイプ６４ａを介して、トランスミッションケース３１の内部へ排出（供給）する機構である。
【０１２７】
供給パイプ６４ａには、ＴＣ側ケース部材６１の第１軸受ＢＲＧ１の上方に向かって潤滑油の一部を供給できるように分岐する吐出口６４ａ１が設けられている。
【０１２８】
なお、本発明の潤滑油供給機構は、排出機構６４のように第２軸受ＢＲＧ２に潤滑油を供給するものに限定されず、第２軸受ＢＲＧ２以外の他の内蔵部品に潤滑油を供給するものであってもよい。例えば、デファレンシャルケース４１へ潤滑油を供給する機構を、本発明の潤滑油供給機構として用いてもよい。
【０１２９】
ストレーナ６５及びポンプ６６は、ＴＭ側ケース部材６２の内部の空間の下方であって、ガスケット６３（すなわち、ＴＭ側ケース部材６２の端面）よりもＴＣ側ケース部材６１側となり、且つ、ファイナルドリブンギヤ４２の回転中心軸線と交わる方向でファイナルドリブンギヤ４２から離れた位置（すなわち、車両Ｖの進行方向で前側となる位置）に配置されている。
【０１３０】
ストレーナ６５は、その下面中央部に、油溜から潤滑油を吸い込む吸口部６５ａを有している。ストレーナ６５は、その吸口部６５ａからトランスミッションケース３１の内部に潤滑油が溜まって形成された油溜から潤滑油を吸い込み、ポンプ６６を介して油圧作動機構に供給する。
【０１３１】
図７に示すように、ＴＣ側ケース部材６１には、ファイナルドリブンギヤ４２（すなわち、第１軸受ＢＲＧ１）よりも上方となる位置に、第２軸受ＢＲＧ２の潤滑のために用いられるバッフルプレート６７（バッフル）が取り付けられている。また、トランスミッションケース３１の内部には、バッフルプレート６７の側方となる位置に、ファイナルドライブギヤ３６が配置されている。
【０１３２】
図８に示すように、バッフルプレート６７は、上下方向に延設されている筒状の供給油路６７ａと、供給油路６７ａの上方に配置された潤滑油受面６７ｂとを有している。
【０１３３】
供給油路６７ａの下端部（すなわち、バッフルプレート６７によって導かれた潤滑油の排出端）は、バッフルプレート６７をＴＣ側ケース部材６１に設置した際に、潤滑対象である第１軸受ＢＲＧ１の上方に位置する。さらに具体的には、供給油路６７ａの下端部にある潤滑油の排出孔が、第１軸受ＢＲＧ１のアウターレースを径方向に貫くように設けられている孔に対向可能となるように位置している。
【０１３４】
供給油路６７ａの上端部の側面には、排出機構６４の供給パイプ６４ａに設けられた吐出口６４ａ１に対応する位置（図９参照）に、第１開口部６７ａ１が形成されている。第１開口部６７ａ１には、吐出口６４ａ１の先端部が挿入される（ただし、図９は理解を容易とするために挿入していない状態を示している。）。また、供給油路６７ａの上端部には、ファイナルドライブギヤ３６の歯部に対応する位置に、第２開口部６７ａ２が形成されている（図７参照）。
【０１３５】
第２開口部６７ａ２は、第１開口部６７ａ１よりも上方に位置しており、吐出口６４ａ１から吐出された潤滑油は、第２開口部６７ａ２からこぼれることなく、供給油路６７ａに導かれる。
【０１３６】
なお、第１開口部６７ａ１を、第２開口部６７ａ２と同一の高さ、又は、第２開口部６７ａ２よりも上方の位置に設定して、吐出口６４ａ１から吐出される潤滑油の一部を、第２開口部６７ａ２を介して、ファイナルドライブギヤ３６の歯部に供給できるように構成してもよい。
【０１３７】
次に、図７及び図９を参照して、動力伝達装置ＰＴの潤滑油供給構造による潤滑油の流れについて説明する。なお、図７においては、トランスミッションケース３１の内部に形成された油溜の油面を太線で示している。また、図７及び図９においては、ファイナルドリブンギヤ４２によって掻き上げられた潤滑油の流れを矢印によって示している。
【０１３８】
図７に示すように、排出機構６４によってトランスミッションケース３１の内部に排出された潤滑油は、トランスミッションケース３１の内部の下方に油溜を形成する。この油溜にはファイナルドリブンギヤ４２の下方部が浸かっているので、ファイナルドリブンギヤ４２の回転に応じて、油溜から潤滑油が掻き上げられる。
【０１３９】
図７及び図９に示すように、ファイナルドリブンギヤ４２によって掻き上げられた潤滑油の少なくとも一部は、バッフルプレート６７の潤滑油受面６７ｂに受け止められ、受け止められた潤滑油の少なくとも一部が供給油路６７ａに導かれる。これにより、ファイナルドリブンギヤ４２の回転数が十分な場合には、ファイナルドリブンギヤ４２によって掻き上げられた潤滑油が、バッフルプレート６７の供給油路６７ａを介して第１軸受ＢＲＧ１に導かれることになる。
【０１４０】
ところで、ファイナルドリブンギヤ４２の回転は常に一定ではなく、車両Ｖの運転状況によっては、低速で回転することがある。そのような場合、ファイナルドリブンギヤ４２の回転数の低下に伴って、ファイナルドリブンギヤ４２によって掻き上げられる潤滑油の量も減少してしまう。
【０１４１】
しかし、上記の動力伝達装置ＰＴの潤滑油供給構造では、油圧作動機構から排出された潤滑油が、排出機構６４の供給パイプ６４ａ及びバッフルプレート６７の第１開口部６７ａ１を介して供給油路６７ａへ導かれ、第１軸受ＢＲＧ１に供給されている。この排出機構６４から供給されている潤滑油の量は、オイルポンプの回転速度等によって設定されるため、ファイナルドリブンギヤ４２の回転数の影響を受けない。
【０１４２】
そのため、仮にファイナルドリブンギヤ４２の回転数が低下して掻き上げられる潤滑油（すなわち、ファイナルドリブンギヤ４２の掻き上げによって第１軸受ＢＲＧ１へ供給される潤滑油の量）が少なくなったとしても、第１軸受ＢＲＧ１には、排出機構６４から所定量の潤滑油が安定して供給される。
【０１４３】
なお、ファイナルドリブンギヤ４２によって掻き上げられ、潤滑油受面６７ｂに受け止められた潤滑油の一部は、潤滑油受面６７ｂにぶつかって跳ね返った後、第２開口部６７ａ２を通過して、潤滑油受面６７ｂに隣接するように配置されているファイナルドライブギヤ３６の歯面に向かって供給される。
【０１４４】
これにより、動力伝達装置ＰＴの潤滑油供給構造では、第１軸受ＢＲＧ１だけではなく、第１軸受ＢＲＧ１の上方に位置するファイナルドライブギヤ３６にも、潤滑油を供給することができるようになっている。
【０１４５】
以上、図示の実施形態について説明したが、本発明はこのような形態に限られるものではない。
【０１４６】
例えば、上記実施形態においては、ＴＭ側ケース部材（トランスミッション側ケース部材）に配置されている排出機構６４（潤滑油供給機構）によって、ＴＣ側ケース部材（トルクコンバータ側ケース部材）に取り付けられている第１軸受ＢＲＧ１を潤滑している。
【０１４７】
しかし、本発明の動力伝達装置の潤滑構造は、そのような構成に限定されるものではない。例えば、潤滑対象の軸受は、トランスミッション側ケース部材に取り付けられていてもよいし、潤滑油供給機構は、トルクコンバータ側ケース部材に配置されていてもよい。この場合、第２軸受ＢＲＧ２が本発明の軸受に相当する。
【０１４８】
また、上記実施形態においては、バッフルとして、ファイナルドリブンギヤ４２のバッフルプレート６７を用いている。そして、バッフルプレート６７には、第２開口部６７ａ２を介して、隣接するファイナルドライブギヤ３６に対しても潤滑油が供給されるように構成されている。これは、ファイナルドリブンギヤが掻き上げる潤滑油によって上方に位置するギヤも潤滑可能とするとともに、潤滑油を供給するための部材を一体化することによって、省スペース化を図るためである。
【０１４９】
しかし、本発明の動力伝達装置の潤滑構造のバッフルは、そのような構成に限定されるものではなく、潤滑油を上方から軸受に導く筒状の供給油路と、ファイナルドリブンギヤが掻き上げた潤滑油を受け止めて、供給油路の上方に配置されている潤滑油受面とを有するものであればよい。そのため、ファイナルドリブンギヤよりも上方のギヤに隣接しない位置に配置してもよいし、第２開口部を省略してもよい。
【０１５０】
また、上記実施形態においては、潤滑油供給機構として、油圧作動機構で利用された作動油の少なくとも一部を潤滑油としてトランスミッションケース３１の内部へ排出する排出機構６４を用いている。
【０１５１】
しかし、本発明の潤滑油供給機構は、そのような排出機構に限定されるものではなく、筐体の内部に配置されている内蔵部品に潤滑油を供給するものであればよい。例えば、本発明の潤滑油供給機構は、オイルポンプから吐出された潤滑油を直接（油圧作動機構を経由することなく）第２軸受ＢＲＧ２に供給するものであってもよい。
【符号の説明】
【０１５２】
１…クランクシャフト、２…トルクコンバータ、３…トランスミッション、４…フロントデファレンシャルギヤ（デファレンシャル装置）、５…トランスファー装置、６…リヤデファレンシャルギヤ、７Ｌ…前部左車軸、７Ｒ…前部右車軸、８…プロペラシャフト、９Ｌ…後部左車軸、９Ｒ…後部右車軸、３１…トランスミッションケース（筐体）、３２…入力軸、３３…出力部材、３４…アイドルギヤ、３５…アイドル軸、３６…ファイナルドライブギヤ、４１…デファレンシャルケース、４２…ファイナルドリブンギヤ、４３Ｌ…前部左出力軸、４３Ｒ…前部右出力軸、４４…デファレンシャルサイドギヤ、４５…ピニオンシャフト、４６…ピニオンギヤ、５１…トランスファー入力軸、５２…トランスファー出力軸、５３…トランスファー入力ギヤ、５４…第１ベベルギヤ、５５…第２ベベルギヤ、６１…ＴＣ側ケース部材（トルクコンバータ側ケース）、６２…ＴＭ側ケース部材（トランスミッション側ケース）、６３…ガスケット、６４…排出機構（潤滑油供給機構）、６４ａ…供給パイプ、６４ａ１…吐出口、６５…ストレーナ、６５ａ…吸口部、６６…ポンプ、６７…バッフルプレート、６７ａ…供給油路、６７ａ１…第１開口部、６７ａ２…第２開口部、６７ｂ…潤滑油受面、Ｂ１…第１ブレーキ、Ｂ２…第２ブレーキ、Ｂ３…第３ブレーキ、ＢＲＧ１…第１軸受、ＢＲＧ２…第２軸受、Ｃ１…第１クラッチ、Ｃ２…第２クラッチ、Ｃ３…第３クラッチ、Ｃａ，Ｃｂ，Ｃｃ，Ｃｄ…キャリア、Ｅ…エンジン、ＥＣＵ…変速制御装置、Ｆ１…ツーウェイクラッチ、Ｐａ，Ｐｂ，Ｐｃ，Ｐｄ…ピニオン、ＰＧ１…第１遊星歯車機構、ＰＧ２…第２遊星歯車機構、ＰＧ３…第３遊星歯車機構、ＰＧ４…第４遊星歯車機構、ＰＴ…動力伝達装置、Ｒａ，Ｒｂ，Ｒｃ，Ｒｄ…リングギヤ、Ｓａ，Ｓｂ，Ｓｃ，Ｓｄ…サンギヤ、Ｖ…車両、ＷＦＬ…左前輪、ＷＦＲ…右前輪、ＷＲＬ…左後輪、ＷＲＲ…右後輪。
【図１】
2018155350.tif 000003
【図２】
2018155350.tif 000004
【図３】
2018155350.tif 000005
【図４】
2018155350.tif 000006
【図５】
2018155350.tif 000007
【図６】
2018155350.tif 000008
【図７】
2018155350.tif 000009
【図８】
2018155350.tif 000010
【図９】
2018155350.tif 000011